(57)【要約】      （修正有）【課題】長期間使用された後にも良好な使用感を保持させるマウスを提供する。【解決手段】マウスは、少なくとも１つの電子スイッチ及び少なくとも１つのキーを備える。前記電子スイッチはスイッチキット４１及び下部磁石４２を含み、スイッチキット４１はオフ状態及びオン状態を有し、下部磁石４２はスイッチキット４１に装設される。前記キーは電子スイッチの上方に設置され、キーの下表面には下部磁石４２の真上に対応させるように上部磁石５３が装設され、下部磁石４２及び上部磁石５３の対応し合う両端の磁極は同じである。キーが下に向けて押されると、上部磁石５３の反対方向への作用力により下部磁石４２が押され、スイッチキット４１が連動されてオフ状態からオン状態へと変わり、これにより電子スイッチがトリガされる。本考案に係るマウスにはボタンが設置されず、長期間使用された後にも良好な使用感を保持させる。【選択図】図９
0003212543.tif 000002
【実用新案登録請求の範囲】
【請求項１】
少なくとも１つの電子スイッチ及び少なくとも１つのキーとを備え、
前記少なくとも１つの電子スイッチは、
オフ状態及びオン状態を有するスイッチキットと、
前記スイッチキットに装設される下部磁石を更に含み、
少なくとも１つのキーは、前記電子スイッチの上方に設置され、前記キーの下表面には下部磁石の真上に対応するように上部磁石が装設され、前記下部磁石及び前記上部磁石の対応し合う両端の磁極は同じであり、前記キーが下に向けて押されると、前記上部磁石の反対方向への作用力により前記下部磁石が上に向けて押され、前記スイッチキットが連動されてオフ状態からオン状態へと変わり、これにより前記電子スイッチがトリガされることを特徴とするマウス。
【請求項２】
前記キーの下表面には下部磁石の真上に対応させるように押圧部が凸設され、前記押圧部の下表面には固持部が凸設され、前記固持部内には固持孔が開設され、前記上部磁石は固持孔内に固設されることを特徴とする、請求項１に記載のマウス。
【請求項３】
前記スイッチキットは、本体部と、第一端子と、第二端子と、板ばねとを更に備え、前記第一端子は本体部内に固設され、且つ本体部の上表面の一側から突出される固定接触端を有し、前記第二端子は本体部内に固設され、且つ本体部の上表面の一側から突出される可動接触端及び本体部の上表面の他側から突出される第一位置決め部を有し、前記可動接触端は固定接触端の真下に位置され、前記板ばねは固定端及び可動端を有し、前記固定端は第一位置決め部に固設され、前記可動端は固定接触端と可動接触端との間に設けられ、前記スイッチキットがオフ状態にある場合、可動端が弾性により固定接触端に当接され、前記スイッチキットがオン状態にある場合、可動端が弾性により可動接触端に当接され、前記下部磁石は板ばねの可動端の一側に固設されることを特徴とする、請求項１に記載のマウス。
【請求項４】
前記電子スイッチは、本体部、固定接触端、可動接触端、板ばね、及び下部磁石の外部に覆設される外蓋を更に備えることを特徴とする、請求項３に記載のマウス。
【請求項５】
前記外蓋は４枚の側板及び頂板が囲うことにより形成され、前記４枚の側板は本体部にそれぞれ固設され、前記頂板は下部磁石の上方に位置されることを特徴とする、請求項４に記載のマウス。
【請求項６】
前記第一端子は上下に延伸される第一固持部を有し、第一固持部は本体部内に固設され、第一固持部の下端は本体部の下表面から突出され、第一固持部の上端は本体部の上表面から突出され、前記固定接触端は第一固持部の上端の後側から先に後に向けて延伸された後に下に向けて延伸されることにより形成されることを特徴とする、請求項３に記載のマウス。
【請求項７】
前記第二端子は前後に延伸される第二固持部を有し、第二固持部の下端縁部は下に向けてピンが凸設され、前記第二固持部は本体部内に固設され、前記ピンの下端は本体部の下表面から突出され、前記可動接触端は第二固持部の前端縁から上に向けて突出されることにより形成され、前記第一位置決め部は第二固持部の後端縁から上に向けて凸設されることにより形成されることを特徴とする、請求項３に記載のマウス。
【考案の詳細な説明】
【技術分野】
【０００１】
本考案は、マウスに関し、より詳しくは、長期間使用した後にも良好な使用感を保持させるマウスに関する。
【背景技術】
【０００２】
図１乃至図３に示されるように、従来のマウス１００´は、回路基板１０´と、２つの電子スイッチ２０´と、２つのキー３０´とを有する。前記２つの電子スイッチ２０´は横方向に配列されて回路基板１０´の上表面の前部に固設され、２つの電子スイッチ２０´は共にスイッチキット２１´と、外蓋２２´と、ボタン２３´とを含む。前記外蓋２２´はスイッチキット２１´の外部に覆設され、外蓋２２´の上部には装設孔２２１´が開設される。前記ボタン２３´は装設孔２２１´内に装設され、ボタン２３´の上端は外蓋２２´の上面から突出され、ボタン２３´の下端はスイッチキット２１´に当接される。前記スイッチキット２１´はオフ状態及びオン状態を有し、前記ボタン２３´の側壁と装設孔２２１´の孔壁との間には隙間が形成される。前記２つのキー３０´は電子スイッチ２０´の上方にそれぞれ設置され、前記２つのキー３０´の下表面には２つの電子スイッチ２０´のボタン２３´に対応する箇所にボタン２３´の上端に当接される押圧部３１´がそれぞれ凸設される。使用においては、キー３０´が押されると、押圧部３１´によりボタン２３´が押されてスイッチキット２１´がオフ状態からオン状態に変換され、電子スイッチ２０´がトリガされる。操作終了後には、キー３０´が解放されることによりキー３０´が復位し、スイッチキット２１´がオン状態からオフ状態に変換されると共にボタン２３´が押されて復位する。
【考案の概要】
【考案が解決しようとする課題】
【０００３】
しかしながら、前述した従来のマウス１００´は、長時間使用された後に、押圧部３１´とボタン２３´との接触点に部分的な摩損現象が発生し、使用者が使用する際に、押圧部３１´の摩損箇所とボタン２３´との間で空押し状態が生じ、マウス１００´のキー３０´の操作不良や使用感の低下につながった。また、従来のマウス１００´は長時間使用された後に、塵が隙間内に入り込み、ボタン２３´の動作異常を引き起こし、同様に使用時にマウス１００´のキー３０´の操作不良や使用感の低下をもたらした。
【０００４】
本考案者は、鋭意研究した結果、少なくとも１つの電子スイッチ及び少なくとも１つのキーにより、上記目的を達成できるマウスことを見出した。すなわち、長期間使用された後にも良好な使用感を保持させるマウスを提供する。
【０００５】
かかる従来の実情に鑑みて、本考案は、マウスを提供することを目的とする。
【課題を解決するための手段】
【０００６】
上述した課題を解決し、上記目的を達成するため、本考案に係るマウスの特徴は、少なくとも１つの電子スイッチ及び少なくとも１つのキーを備える。前記電子スイッチはスイッチキット及び下部磁石を更に含み、前記スイッチキットはオフ状態及びオン状態を有する。前記下部磁石はスイッチキットに装設される。前記キーは電子スイッチの上方に設置され、キーの下表面には下部磁石の真上に対応するように上部磁石が装設され、下部磁石及び上部磁石の対応し合う両端の磁極は同じである。キーが下に向けて押されると、上部磁石の反対方向への作用力により下部磁石が押され、スイッチキットが連動されてオフ状態からオン状態へと変わり、電子スイッチがトリガされる。
【考案の効果】
【０００７】
本考案は、ボタンを設置させる必要がなく、且つ長期間使用された後にも良好な使用感を保持される効果が得られる。
【図面の簡単な説明】
【０００８】
【図１】図１は従来のマウスを示す概略図である。
【図２】図２は従来のマウスの電子スイッチを示す断面図である。
【図３】図３は図１のマウスのキーが長時間使用された後、押圧部が摩損される概略図である。
【図４】図４は本考案のマウスを示す外観斜視図である。
【図５】図５は図４のマウスのキーを示す展開図である。
【図６】図６は図４のマウスのキーを他の角度から見た展開図である。
【図７】図７は後蓋がない図４のマウスを示す外観斜視図である。
【図８】図８は図４のマウスのキーを示す断面図である。
【図９】図９は図８に示すIXの部分拡大図である。
【図１０】図１０は本考案のマウスの電子スイッチを示す展開図である。
【図１１】図１１は本考案のマウスの電子スイッチを他の角度から見た展開図である。
【考案を実施するための形態】
【０００９】
以下に図面を参照して、本考案を実施するための形態について、詳細に説明する。なお、本考案は、以下に説明する実施形態に限定されるものではない。
【実施形態】
【００１０】
以下、図３〜１１を参照しながら、本考案のマウスをさらに詳しく説明する。本考案のマウス１００は下部ケース１０と、上部ケース２０と、回路基板３０と、少なくとも１つの電子スイッチ４０と、少なくとも１つのキー５０と、後蓋６０とを備える（図４及び図８参照）。
【００１１】
図４及び図８に示されるように、前記上部ケース２０は下部ケース１０に覆設され、上部ケース２０と下部ケース１０との間には収容空間１１が形成され、前記回路基板３０は収容空間１１内に固設される。前記上部ケース２０の上表面の前部にはキー溝部２１が開設され、前記キー溝部２１の底壁には横方向に配列されると共に収容空間１１に連通される２つの孔部２２が開設される。前記上部ケース１０の上表面の中央部にはキー溝部２１に連通される固定用凹部２３が凹設される。
【００１２】
また、図５、図８及び図１１に示されるように、本実施形態において、マウス１００は２つの電子スイッチ４０を備え、前記２つの電子スイッチ４０は共にスイッチキット４１と、下部磁石４２と、外蓋４３とを含む。前記スイッチキット４１は本体部４４と、第一端子４５と、第二端子４６と、板ばね４７とを具備し、前記スイッチキット４１はオフ状態及びオン状態を有する。前記本体部４４は矩形状を呈し、前記２つの電子スイッチ４０の本体部４４は横方向に配列されて回路基板３０の上表面の前部に装設される。前記第一端子４５は上下に延伸される第一固持部４５１及び第一固持部４５１の上端の後側から先ず後に向けて延伸された後に下に向けて延伸されることにより形成される固定接触端４５２を有する。第一端子４５の第一固持部４５１は本体部４４内に固設され、第一固持部４５１の下端は本体部４４の下表面から突出されると共に回路基板３０に電気的に接続される。第一固持部４５１の上端は本体部４４の上表面の一側から突出され、これにより固定接触端４５２も本体部４４の上表面の一側から突出される。
【００１３】
前記第二端子４６は本体部４１内に固設され、第二端子４６は本体部４１の上表面の一側から突出される可動接触端４６３を有し、前記可動接触端４６３は固定接触端４５２の真下に位置される。具体的には、前記第二端子４６は前後に延伸される第二固持部４６１を有し、前記第二固持部４６１は本体部４４内に固設される。第二固持部４６１の下端縁には前後に間隔を空けて２本のピン４６２が下に向けて凸設され、前記第二端子４６の２本のピン４６２の下端は本体部４４の下表面からそれぞれ突出されると共に前記回路基板３０に電気的に接続される。前記可動接触端４６３は第二固持部４６１の前端縁から上に向けて突出されることにより形成され、前記第二固持部４６１の後端縁には本体部４４の上表面から突出される第一位置決め部４６４が上に向けて凸設される。前記第一位置決め部４６４の後表面は段形状を呈し、第一位置決め部４６４の後表面の下部には第一段差面４６５を有し、第一位置決め部４６４の後表面の上部には第一段差面４６５の前方に位置される第二段差面４６６が設けられる。第一段差面４６５と第二段差面４６６との間には接合面４６７を有し、前記接合面４６７は前から後に向けて下方に徐々に傾斜する斜面となる。
【００１４】
なお、図４及び図１１に示されるように、前記第二固持部４６１の上端縁の中央部には本体部４４の上表面から突出される第二位置決め部４６８が凸設される。前記第二位置決め部４６８の前表面の上部には前に向けてストッパー４６９が突出され、前記ストッパー４６９の下表面は前から後下方に向けて徐々に傾斜する斜面となる。
【００１５】
図９乃至図１１に示されるように、前記板ばね４７は固定端４７１及び可動端４７２を有し、前記板ばね４７の固定端４７１は第一位置決め部４６４に固設され、前記板ばね４７の可動端４７２は固定接触端４５２と可動接触端４６３との間に設置される。前記スイッチキット４１がオフ状態にある場合、可動端４７２が弾性により固定接触端４５２に当接される。前記スイッチキット４１がオン状態にある場合、可動端４７２が弾性により可動接触端４６３に当接される。具体的には、前記板ばね４７は板状を呈し、板ばね４７の固定端４７１には第一位置決め部４６４に対応する箇所に第一収容孔４７３が開設される。第一収容孔４７３の後壁には第一切欠き部４７４が開設される。前記第一位置決め部４６４の上部は第一収容孔４７３内に収容され、前記第一位置決め部４６４の上部の後端は第一切欠き部４７４内に収容され、前記板ばね４７の下表面は前記接合面４６７に当接される。
【００１６】
前記板ばね４７の中央部には第二位置決め部４６８に対応する箇所に第二収容孔４７５が開設され、第二収容孔４７５の前壁には下に向けられると共に後向きに弧状に湾曲されて延伸される弾性シート４７６が連接される。前記第二位置決め部４６８の上部は第二収容孔４７５内に収容され、前記弾性シート４７６の後端はストッパー４６９の下表面に当接される。具体的には、前記弾性シート４７６の後端の中間部には第二切欠き部４７７が開設され、前記ストッパー４６９の下表面は第二切欠き部４７７内に係合される。
【００１７】
続いて、図９及び図１１に示されるように、前記下部磁石４２は板ばね４７の可動端４７２の一側に固設される。前記外蓋４３は本体部４４、固定接触端４５２、可動接触端４６３、板ばね４７、及び下部磁石４２の外部に覆設される。具体的には、前記外蓋４３は４枚の側板４３１及び頂板４３２が囲うことにより形成され、前記４枚の側板４３１は本体部４４にそれぞれ固設される。前記頂板４３２は下部磁石４２の上方に位置され、前記頂板４３２の上表面には下部磁石４２に対応する箇所に凹部４３３が開設される。
【００１８】
続いて、図５乃至図９に示されるように、前記キー５０は上部ケース２０の上表面の前部に設置され、前記キー５０の後端は上部ケース２０の後部に固設される。本実施形態において、本考案に係るマウス１００は横方向に配列されてキー溝部２１に内設される２つのキー５０を備え、２つのキー５０は電子スイッチ４０の上方にそれぞれ設置される。前記２つのキー５０の後端には共に後に向けて延伸されるカンチレバー５１が固設され、前記２つのカンチレバー５１は共に固定用凹部２３の前部に収容される。前記２つのカンチレバー５１の末端は共に固定板５２に連接され、前記固定板５２は固定用凹部２３の後部に固定される。前記キー５０の下表面には下部磁石４２の真上に対応するように上部磁石５３が装設され、下部磁石４２及び上部磁石５３の対応し合う両端の磁極は同じである。具体的には、前記キー５０の下表面には下部磁石４２の真上に対応するように押圧部５４が凸設され、前記２つのキー５０の押圧部５４は対応する孔部２２内にそれぞれ収容される。前記押圧部５４の下表面には固持部５５が凸設され、前記固持部５５内には固持孔５６が開設され、前記上部磁石５３は固持孔５６内に固設される。上部磁石５３の下表面は固持部５５の下表面と平坦となる。
【００１９】
前記後蓋６０は下部ケース１０及び上部ケース２０の後部に覆設されると共にカンチレバー５１及び固定板５２が内設される（図８参照）。
【００２０】
さらに、図８及び図９に示されるように、本考案に係るマウス１００は使用において、使用者によりキー５０が下に向けて押されると、上部磁石５３の反対方向への作用力により下部磁石４２が押され、スイッチキット４１が連動されてオフ状態からオン状態へと変わり、電子スイッチ４０がトリガされる。具体的には、上部磁石５３の反対方向への作用力により下部磁石４２が押されると、板ばね４７の可動端４７２が連動されて板ばね４７の可動端４７２が下に向けて第二端子４６の可動接触端４６３に当接されるまで移動し、第一切欠き部４７４の後壁が第二段差面４６６に当接され、第二収容孔４７５の後壁が第二位置決め部４６８の後壁に当接され、板ばね４７の固定端４７１が固定された位置に保持される。操作終了後にキー５０が解放され、カンチレバー５１によりキー５０が連動されて復位する。弾性シート４７６の弾性回復力により、板ばね４７の可動端４７２が固定接触端４５２に当接されるまで復位すると、スイッチキット４１がオフ状態を回復させる。
【００２１】
上述したように、本考案に係るマウス１００は、スイッチキット４１に下部磁石４２が装設され、キー５０の下表面には下部磁石４２の真上に対応するように上部磁石５３が装設される。下部磁石４２及び上部磁石５３の対応し合う両端の磁極は同じである。キー５０が下に向けて押されると、上部磁石５３の反対方向への作用力により下部磁石４２が押され、スイッチキット４１が連動されてオフ状態からオン状態へと変わり、電子スイッチ４０がトリガされる。本考案に係るマウス１００にはボタンを設置させる必要がなく、長期間使用された後にも良好な使用感が保持される。
【００２２】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００２３】
１００  マウス
１０  下部ケース
１１  収容空間
２０  上部ケース
２１  キー溝部
２２  孔部
２３  固定用凹部
３０  回路基板
４０  電子スイッチ
４１  スイッチキット
４２  下部磁石
４３  外蓋
４３１  側板
４３２  頂板
４３３  凹部
４４  本体部
４５  第一端子
４５１  第一固持部
４５２  固定接触端
４６  第二端子
４６１  第二固持部
４６２  ピン
４６３  可動接触端
４６４  第一位置決め部
４６５  第一段差面
４６６  第二段差面
４６７  接合面
４６８  第二位置決め部
４６９  ストッパー
４７  板ばね
４７１  固定端
４７２  可動端
４７３  第一収容孔
４７４  第一切欠き部
４７５  第二収容孔
４７６  弾性シート
４７７  第二切欠き部
５０  キー
５１  カンチレバー
５２  固定板
５３  上部磁石
５４  押圧部
５５  固持部
５６  固持孔
６０  後蓋
【図１】
0003212543.tif 000003
【図２】
0003212543.tif 000004
【図３】
0003212543.tif 000005
【図４】
0003212543.tif 000006
【図５】
0003212543.tif 000007
【図６】
0003212543.tif 000008
【図７】
0003212543.tif 000009
【図８】
0003212543.tif 000010
【図９】
0003212543.tif 000011
【図１０】
0003212543.tif 000012
【図１１】
0003212543.tif 000013